(57)【要約】      （修正有）【課題】ボトル容器に入った飲料を、ワンタッチの操作で飲むことができ、しかも、ボトル容器を逆さにしなくても飲むことができる飲水器を提供する。【解決手段】ボトル容器の蓋を取りはずした後、本飲水器を取りつける。ボトル容器の口に取り付ける部分は、ボトルの蓋と同じラセンに合わせてある。外角型ケース内には、ゴム又は合成化工による筒状のパッキンがあり、そのパッキンの中をストローが通っており、ストップレバーを倒すことにより、ストップレバーの先端部がストローを押圧し、飲料の流れをストップする。ストップレバーを起すと、ストローから飲むことができる。【選択図】図１
0003160717.tif 000002
【実用新案登録請求の範囲】
【請求項１】
１の２  １個のゴム又は合成加工弾力成のパッキンを３ケ所で水漏れを防ぐ
１の３  一般に販売されている飲料水入たボトル容器内にストローを差込だ
そままの正体でストローをも同じ共にストップレバーで防湿できる
【考案の詳細な説明】
【考案が解決しようとする課題】
本携帯用美飲水器は、一般に販売されているお茶等の飲料水類の入たボトルその容器の蓋を取外して  新規に加工した携帯用美飲水器を簡単に取付けて安全に使用できる  その取付方法は現在使用されている、蓋の取外と同じ方式です  右回し、左開放
【使用利点】
美飲水器をボトルに取付て  飲水し  その後防湿のストップ。レバで防水し。その後に飲水時には、ストップ。レバーを開放した場合吸口のストローは左右自由に回転できるので使用には、大変便利です又ストップ。レバーで防湿後カバン等に横たをしに入置くには安全です現在のボトルの飲料水を飲水する時に、人混み通勤電車。機内。車内等の揺れ動く場所での飲水には、困難を生し又周囲のお客様に迷惑かけた場面もあり特にこのような場所でお子様又急にお薬を飲むような時、寝きりの病人の飲水時には、ご愛用期待されます又、通常人混ごみでの現在のラッパ飲みには、抵抗感じます。特に、アイスコーヒーの飲水には、味良く感じ喜こんで頂けます。
【考案の効果】
本携帯用美飲水器は、使用利用者に衛生的安価な商品として提供できる
尚、ステンレースのパイプ状の原料からプレス加工が主であり対期生よくストローとパッキンは利用者の希望に合せて簡単に取替交換できます
【図面の簡単な説明】
【図１】１の１はストロ。ボトルに合せて長さを調整切りする  １の２はパッキン。図の２−２の１  ゴム又は合成加工のパッキン同じ上の部分です  １の３はストップ。レバー  １の４は美飲水器外角型ケース  １の５は、ストップ。レバーの自由回転穴
【図２】２の１は、パッキン。ゴム又は合成加工の全体であります  ２の２は、パッキンを押込み湿る、ストップレバー先で主要部分です。二ケ所  ２の３は、ストップレバーの手動式レバーです。２の４は、ストップレバーの回転ボルト穴。図の１の５と合せてボルトを押入る  ２の５は飲料水の入たボトルと、美飲器を取付け時のラセン式右回転で締め付けた時点の上下のパッキン
【図３】３の１は美飲水器外角型ケース。図の１の４と同型内部分です。３の２の穴は、図の１の５と同じ穴です３の３は、当美飲水器外角型ケースの内側に飲料水の入たボトルの口に相せたラセンをプレス加工し一般売販しているボトルの蓋と同ラセンに合せてあります。
【図４】
0003160717.tif 000003
【図１】
0003160717.tif 000004
【図２】
0003160717.tif 000005
【図３】
0003160717.tif 000006
【図４】
0003160717.tif 000007
【手続補正書】
【提出日】平成21年5月26日(2009.5.26)
【手続補正１】
【補正対象書類名】実用新案登録請求の範囲
【補正対象項目名】全文
【補正方法】変更
【補正の内容】
【実用新案登録請求の範囲】
【請求項１】
１個のゴム又はポリエチレン類の合成加工の弾力製のパッキンを３ヶ所で水漏れを防ぐ〔図面２〕ストップレバーの先部分のＡとＢは防水時の圧縮する直撃ヶ所です
飲料水が入ったボドル容器内にストローを差込だ正体でストロー共にストップ・レーバーで圧宿し防温できます
0003160717.tif 000008
水が入ったボトルと〔ボトル携帯用美飲水器〕を取付た。上、下、間のパッキンです。〔第２第３のパッキン〕は〔図面２〕のストップレバーの先部分の
0003160717.tif 000009
ボトル携帯用美飲水器は飲料水の入ったボトル容器の蓋と同じラセン式に加工してあり蓋兼用使用です
【手続補正２】
【補正対象書類名】明細書
【補正対象項目名】全文
【補正方法】変更
【補正の内容】
【考案の詳細な説明】
【考案が解決しようとする課題】
本ボトル携帯用美飲水器は、一般に販売しているお茶等の入った飲料水類のボトル容器の蓋を取外して。当ボトル携帯用美飲水器を簡単に取付て安全に使用できます  蓋の取替は同じラセン加工で右回し左開放です
【使用利点】
本ボトル携帯用美飲水器を飲料水の入ったボトルの飲料水、飲水し後ストップレバで防温防水し操り返し飲水時にストップ、レバーを開放した時は吸口のストローは右左自由に回転できます  大変便利に使用できます
防温後はカバン等の入物に横だをしでも安全です。現在のボトル入飲料水を飲水する時は混雑する通勤電車、機内車内の揺れ動く場所での他人に迷惑する場面もあり特にお様又お薬を飲む時、寝たきりの病人の飲水時には、ご愛用に期待されています。アイスコーピの飲水に味良く感じ喜こんで頂けます
【考案の効果】
本、ボトル携帯用美飲水器は利用者に安全で衛生的ステンレース加工にあり対共性に強く安価に商品提供できる  ストローとパッキンは簡単に取替文換ができます
【図面の簡単な説明】
【図１】１の１はストローはボトルに合せて長さを調整切りする
0003160717.tif 000010１の３はストップレバー手動式  １の４は飲料水の入ったボトルの蓋兼用〔ボトル携帯用美飲水器〕で〔図面３〕全体の〔３の３〕の蓋の部分です  １の５はストップ、レバー取付・回転ドルトの穴、上下手動式でシャフト回転式
【図２】２の１はパッキン全体の立の部分です  ２の２はストップレバーの先〔Ａ、Ｂ〕は圧宿し水分防止時の直撃ヶ所です
0003160717.tif 000011２の４はストップレバーを上下時の回転ボトル穴です  ２の５は水分の入ったボトルと〔ボトル携帯用美飲水器〕を取付た時の上下間の水分を防止するパッキンです〔図２〕全体パッキンの中心が丸穴でストローが穴を通って飲料水を吸い上げる操作をします  パッキンの内部の穴は、パッキンの〔断面図〕の通りです
【図３】はボトル携帯用美飲水器の外角型ケース〔図１〕の１の４と同型内部です
0003160717.tif 000012３の２はストップレバーをセットする回転ボトルの取付穴で〔図１〕の１の５と同じです
0003160717.tif 000013合せたラセンにプレス加工し蓋と同に合せてあり簡単に取付できます
【図４】４の１はボトル携帯用美飲水器の安全衛生カバーです  ポリエチレン類の加工と、アルミ類の加工で印刷できる希望に合せた利用加工です  ４の２は〔図３〕３の３の上面に取付る固定カーバで〔図４〕の４の１と連結させるカーバーです
【手続補正３】
【補正対象書類名】図面
【補正対象項目名】全図
【補正方法】変更
【補正の内容】
【図１】
0003160717.tif 000014
【図２】
0003160717.tif 000015
【図３】
0003160717.tif 000016
【図４】
0003160717.tif 000017
【手続補正書】
【提出日】平成21年9月17日(2009.9.17)
【手続補正１】
【補正対象書類名】実用新案登録請求の範囲
【補正対象項目名】全文
【補正方法】変更
【補正の内容】
【実用新案登録請求の範囲】
【請求項１】
当ボトル携帯用美飲水器の内部構造の圧縮防水防止は、１個のパッキンを３ヶ所で圧縮防水します。
ご説明：１個のパッキンは［図面２］の型のもので、ゴム又はポリエチレン類を合成加工した弾力性のあるパッキンです。
［図面２］の型のパッキン（立型部分）の矢印のある２ヶ所（２の１及び２の５）を［図面２］のＡ、Ｂの圧縮先部分を固定したストップレバー操作で防水防止をします。
［図面２］のパッキンの型で黒印下の部分（２の５）は飲料水の入ったボトルの蓋を取外して当ボトル携帯用美飲水器を取替え、取付します。飲料水の入ったボトルの出口蓋のラセンは、当ボトル携帯用美飲水器も同じラセン式型に加工してありますので取付は右回しに締め付けるとパッキンの黒色部分（２の５）を上下からの圧縮で防水します。従って１個のパッキンを３ヶ所で万全防水防止します。
当パッキンには中心にストローを差し通す立穴、丸穴加工を施し、ストローを飲料水まで突き通して使用します。
飲料水をストローで吸上げ、飲水の途中飲休時にストップレバーで防水防止するとストローパッキンは全体に圧縮され、万全に防水防止されます。
又ストローは使用の希望にあわせて何時でも交換でき、衛生的にも安心して使用できます。
【手続補正書】
【提出日】平成21年12月29日(2009.12.29)
【手続補正１】
【補正対象書類名】実用新案登録請求の範囲
【補正対象項目名】全文
【補正方法】変更
【補正の内容】
【実用新案登録請求の範囲】
【請求項１】
ケース、パッキン、及びストップレバーからなる携帯用美水器において前記ケースは、前記パッキンを介してストローが差し込み可能になおっており、前記ケースの側面に設けられた回転通し穴に前記ストップレーバーが回転可能に取り付けられ，前記パッキンは円筒状のゴム構成されて前記ケースの中に挿入され，前記ストップレバーを回転操作させて前記パッキンを介して内部のストローを圧縮することにより，飲料水の流れ出しを防ぐことを特徴とする携帯用美飲水器。説明：１個のパッキンは［図面２］の型のもので、ゴム又は合成加工の弾力性のあるパッキンです。［図面］の型のパッキンは（丸穴型丸長穴型）部分の矢印のある２ヶ所（２の１及び２の５）を［図面２］のＡ、Ｂの印で圧縮部分を固定してある。手動式ストップレバー操作で丸長穴型パッキンの中心穴を通し、差入れた飲水用のストローをも共々同合して圧縮し防水防止します。［図面２］の丸穴型丸長穴型パッキンで黒印下の部分（２の５）は飲料水の入った専用容器又は通販のボトル容器の（飲料水の入る入口蓋部分は同型の同じラセン式加工であり）当携帯用美飲水器の取付は、右回しに締め付左開放で丸穴型パッキンの黒色部分（２の５）を上下からの圧縮で防水します。従って１個のパッキンを３ヶ所で万全防水防止します。当パッキンには中心にストローを飲料水まで差し通す立丸型穴加工を施し、飲料水の飲水に使用します。飲料水をストローで吸上げ、飲水の途中飲休時にストップレバー操作で圧縮しで防水防止する。圧縮はストローとパッキン丸長穴型部分を共々同合し、圧縮され、水漏れを万全に防止されます。又ストローは使用者の希望にあわせ何時でも交換でき、衛生的にも安心して使用できます。
【手続補正書】
【提出日】平成22年3月9日(2010.3.9)
【手続補正１】
【補正対象書類名】実用新案登録請求の範囲
【補正対象項目名】全文
【補正方法】変更
【補正の内容】
【実用新案登録請求の範囲】
【請求項１】
ケース、パッキン、及びストップレバーからなる携帯用美水器において前記ケースは、前記パッキンを介してストローが差し込み可能になっており、前記ケースの側面に設けられた回転通し穴に前記ストップレバーが回転可能に取り付けられ、前記パッキンは円筒状のゴム構成されて前記ケースの中に挿入され、前記ストップレバーを回転操作させて前記パッキンを介して内部のストローを圧縮することにより，飲料水の流れ出しを防ぐことを特徴とする携帯用美飲水器。